(57)【特許請求の範囲】
【請求項１】
複数の駆動ローラと複数の従動ローラとにより移動手摺を挟圧駆動するようにした手摺駆動機構を備えた乗客コンベア装置において、前記複数の従動ローラを複数の揺動枠にそれぞれ軸支すると共に、各揺動枠の一端側が保持体に軸支され他端側がばねを介して前記保持体に係止され、かつこの保持体に形成された切り欠き部と前記従動ローラの垂直投影を互いに重なるように配置し、この保持体を駆動ローラを軸支した支持体に取付けたことを特徴とする乗客コンベア装置。
【請求項２】
走行輪を備えた複数の踏板を無端状に連結して構成した踏板列と、この踏板列の両側に対向して立設された欄干と、これら欄干の周縁に案内され前記踏板と同期的に移動する移動手摺と、この移動手摺の帰路側を欄干下方で複数の駆動ローラと複数の従動ローラとで挟圧駆動する手摺駆動機構と、これらを支持し両側に側枠体を備えた本体枠とを有する乗客コンベア装置において、前記手摺駆動機構は、前記駆動ローラを軸支した支持体と、前記複数の従動ローラをそれぞれ軸支した複数の揺動枠と、各揺動枠の一端側を軸支し他端側をばねを介して係止すると共に切り欠き部が形成された保持体とを有し、この保持体が前記従動ローラの垂直投影と重なり、かつこの保持体が前記支持体に取付けられていることを特徴とする乗客コンベア装置。
【請求項３】
前記支持体は、前記駆動ローラと同軸に動力伝達スプロケットを軸支しており、この動力伝達スプロケットは前記駆動ローラの反踏板側に位置していることを特徴とする請求項２記載の乗客コンベア装置。
【請求項４】
前記支持体と側枠体の垂直投影は、互いに重なっていることを特徴とする請求項２または３記載の乗客コンベア装置。
【請求項５】
前記移動手摺と駆動ローラと走行輪の垂直投影は互いに重なっていることを特徴とする請求項２，３または４記載の乗客コンベア装置。
【発明の詳細な説明】
【０００１】
【発明の属する技術分野】
本発明は、複数の踏板が傾斜区間で階段状になるエスカレーターや、複数の踏板に段差が生じない電動道路等の乗客コンベア装置に係り、特に、移動手摺を駆動する手摺駆動機構を改善した乗客コンベア装置に関する。
【０００２】
【従来の技術】
一般に、乗客コンベア装置の手摺駆動機構は、例えば特開平11−240684号公報に開示のように、駆動ローラと、この駆動ローラと対を成す従動ローラとで移動手摺を挟圧し、駆動ローラを回転させることにより踏板と同期させて移動手摺を駆動している。
【０００３】
【発明が解決しようとする課題】
上記従来技術によれば、手摺駆動機構の構造が複雑で組立分解性についての配慮がなされていないと共に、乗客コンベア装置の設置幅の縮少化についての配慮はなされていない。
【０００４】
本発明の目的とするところは、手摺駆動機構の構成が簡単で、設置幅の縮小化が行える乗客コンベア装置を提供することにある。
【０００５】
【課題を解決するための手段】
上記目的を達成するために本発明は、複数の駆動ローラと複数の従動ローラとにより移動手摺を挟圧駆動するようにした手摺駆動機構を備えた乗客コンベア装置において、前記複数の従動ローラを複数の揺動枠にそれぞれ軸支すると共に、各揺動枠の一端側が保持体に軸支され他端側がばねを介して前記保持体に係止され、かつこの保持体に形成された切り欠き部と前記従動ローラの垂直投影を互いに重なるように配置し、この保持体を駆動ローラを軸支した支持体に取付けるように構成したのである。
【０００６】
上記構成によれば、従動ローラが軸支された保持体と、駆動ローラが軸支された支持体の二つの集合体を構成し、これら集合体の着脱を行うようにしたので、構成が簡単となり、手摺駆動機構の組立分解を簡単に行うことができる。さらに、保持体と従動ローラの垂直投影を重ねているので、手摺駆動機構全体の厚さ寸法を縮少でき、その結果、乗客コンベア装置の設置幅の縮小化ができるのである。
【０００７】
【発明の実施の形態】
以下本発明の一実施の形態を図１〜図５に示すエスカレーターに沿って説明する。
【０００８】
建築物の上階１Ａと下階１Ｂとの間に設置されるエスカレーター２は、上階
１Ａと下階１Ｂに跨って設置された本体枠３を有する。この本体枠３は、左右にトラス構成を成す一対の側枠体４と、これら左右の側枠体４を連結する横部材
（図示せず）とから構成されている。このような本体枠３は、上部機械室を構成する上部水平部３Ａと、下部機械室を構成する下部水平部３Ｂと、傾斜部３Ｃとを有し、上部水平部３Ａの頂部は上部乗降床３ａで塞がれており、下部水平部
３Ｂの頂部は下部乗降床３ｂで塞がれている。そして、このように構成された本体枠３の内部には、踏板を有する複数の踏段６が無端状の踏段チェーン５に連結されて前記上部乗降床３ａと下部乗降床３ｂとの間を循環移動するように案内されている。前記踏段チェーン５は、上部水平部３Ａの上部機械室内に軸支された駆動スプロケット７と、下部水平部３Ｂの下部機械室内に軸支された従動スプロケット８に巻掛けられている。駆動スプロケット７は、上部機械室（上部水平部３Ａ）内に設置された駆動機９によって駆動される。駆動機９は、駆動モータやブレーキ装置あるいは必要に応じて減速機等から構成されている。
【０００９】
このように循環移動できるように案内された前記踏段列の両側に対向する位置には、一対の欄干１０が本体枠３の側枠体４に直接あるいは間接的に取付けられて立設されている。
【００１０】
この欄干１０は、立設された例えば透明の欄干パネル１１と、この欄干パネル１１の上部周縁に取付けられた手摺フレーム１２と、手摺フレーム１２に案内された移動手摺１３と、欄干パネル１１の下部を覆う内デッキカバー１４及び外デッキカバー１５とを有する。内デッキカバー１４の下部は、前記踏段６の幅方向端部に対向して配置されたスカートガード１６の上端に接続されている。外デッキカバー１５の外端側には、本体枠３の側枠体４までも覆って垂下する外装板
１７の上端が接続されている。尚、外装板１７側に建築物の壁が接近している場合には、外デッキカバー１５の外端と建築物の壁との間を別部材で塞ぐことにより、外装板１７を設けることを省略してもよい。また、幅方向の端部を前記スカートガード１６に接近させた踏段６は、左右一対の前輪６Ａと左右一対の後輪
６Ｂとからなる走行輪を軸支している。前輪６Ａの間隔は、後輪６Ｂの間隔より広くなっており、前輪６Ａを支持する前輪軸には前記踏段チェーン５が連結されている。これら前輪６Ａと後輪６Ｂとは、前記本体枠３に固定されたガイドレール１８上を転動する。
【００１１】
上記構成の欄干１０の下部内側において、側枠体４の上部には手摺駆動機構
１９が固定されている。この手摺駆動機構１９は、大きく分けて二つの集合体から構成されている。一つの集合体は、板状の支持体２０をベースに構成されており、この支持体２０に、複数の駆動ローラ２１を一定方向に並べて軸支している。そして、動力伝達スプロケット２２が前記各駆動ローラ２１と同軸に夫々支持されており、動力伝達スプロケット２２は、駆動ローラ２１と支持体２０との間に位置し、駆動原からの動力伝達チェーン２７を巻掛けている。残る集合体は、板状の保持体２３をベースに構成されており、この保持体２３に、複数の従動ローラ２５を前記駆動ローラ２１と同方向で同間隔となるように並べて支持している。前記各従動ローラ２５は、従動ローラ２５を両側から挟み込み、従動ローラ２５の直径よりも長く形成された揺動枠２４に軸支され、この揺動枠２４は、一端側が前記保持体２３に軸支され、他端側が押しばね２６を介して保持体２３に係止されている。
【００１２】
このように構成された保持体２３を支持体２０に着脱自在に取付けて固定する。このとき、前記複数の駆動ローラ２１に対して前記複数の従動ローラ２５が下方から夫々対向するように保持体２３を支持体２０に固定する。このように保持体２３と支持体２０とを組合わせることにより、欄干の下部内側を帰路とする移動手摺１３を、対向する複数の駆動ローラ２１と従動ローラ２５との間を通過させることができる。このとき、従動ローラ２５は、押しばね２６によって駆動ローラ２１側に押圧されるので、移動手摺１３は駆動ローラ２１と従動ローラ２５とによって挟圧されることになる。この状態で駆動ローラ２１を回転させれば、移動手摺１３は移動する。
【００１３】
また、前記保持体２３は、前記従動ローラ２５と垂直投影が重なるように、前記従動ローラ２５との重なり部に夫々切り欠き部２３Ａを形成している。
【００１４】
上記構成の手摺駆動機構１９の支持体２０は、本体枠３のトラス構成を成す側枠体４の上弦材２８を交差して設置され、上弦材２８の幅寸法、云い代えれば側枠体４の幅寸法内に固定される。
【００１５】
このように、手摺駆動機構１９を本体枠３の側枠体４に取付けることにより、手摺駆動機構１９と本体枠３の側枠体４との垂直投影が互いに重なる。また、前記手摺駆動機構１９の動力伝達スプロケット２２を駆動ローラ２１の反踏段６側に配置して前記側枠体４と垂直投影が重なるようにしたので、従動ローラ２５の真下で踏段６の前輪６Ａを走行させても動力伝達チェーン２７と干渉することはなく、その分踏段６の幅方向端部を本体枠３の側枠体４側に接近させることができ、その結果、エスカレーター２の幅方向寸法を縮少して、設置幅を縮少することができる。
【００１６】
このほか、前記手摺駆動機構１９は、駆動ローラ２１や動力伝達スプロケット２２を軸支した支持体２０と、従動ローラ２５を揺動枠２４を介して支持した保持体２３との大きくは二つの集合体で構成したので、構成が簡単となり、組立に際しては、支持体２０に保持体２３を取付けるだけでよく、保守点検に際しては、保持体２３を支持体２０から取外すだけでよい。
【００１７】
上記実施の形態は、傾斜型の乗客コンベア装置の踏板として傾斜部で段差が生じる踏段を有するエスカレーターを説明したが、エスカレーターに限らず、踏板として傾斜部においても段差が生じない複数のパレットを有する電動道路にも適用できるのは勿論である。さらに、上記実施の形態は、手摺機動機構を側枠体４の上弦材２８と交差して設置したものであるが、手摺機動機構を側枠体４の高さの範囲内に配置したり、側枠体４の上に設置したりしてもよい。
【００１８】
【発明の効果】
以上説明したように本発明によれば、手摺駆動機構の構成が簡単で、設置幅の縮小化が行える乗客コンベア装置を得ることができる。
【図面の簡単な説明】
【図１】本発明による乗客コンベア装置の一実施の形態の要部を示す概略側面図。
【図２】図１のII−II線に沿う詳細断面図。
【図３】本発明による乗客コンベア装置の一実施の形態の全容を示す概略側面図。
【図４】本発明による乗客コンベア装置の手摺駆動機構の一部を示す平面図。
【図５】図５の手摺駆動機構の保持体を示す側面図。
【符号の説明】
２…エスカレーター（乗客コンベア装置）、３…本体枠、４…側枠体、１０…欄干、１３…移動手摺、１９…手摺駆動機構、２０…支持体、２１…駆動ローラ、２３…保持体、２４…揺動枠、２５…従動ローラ。
【図１】
0003884921.tif 000002
【図２】
0003884921.tif 000003
【図３】
0003884921.tif 000004
【図４】
0003884921.tif 000005
【図５】
0003884921.tif 000006